(57)【要約】【課題】パターンの凹部内にある液体が超臨界状態の処理流体に置換される前に蒸発することを防ぐ。【解決手段】基板処理装置は、表面に液体が付着している基板を処理容器に収容した後に処理容器（３０１）に加圧された処理流体を供給して、処理容器内の圧力を処理流体の臨界圧力よりも高い処理圧力まで上昇させる昇圧工程と、昇圧工程の後に、処理容器内において少なくとも処理流体が超臨界状態を維持する圧力を維持しつつ、処理容器に処理流体を供給するとともに処理容器から処理流体を排出する流通工程とを実施する。昇圧工程では、少なくとも処理容器内の圧力が処理流体の臨界圧力に到達するまでは、第２流体供給部（３４１）からの前記処理流体の供給を停止し、第１流体供給部（３１７）から処理容器内に処理流体を供給する。流通工程では、第２流体供給部から処理容器内に処理流体を供給する。【選択図】図３
2020170873.tif 000002
【特許請求の範囲】
【請求項１】
表面に液体が付着した基板を、超臨界状態の処理流体を用いて乾燥させる基板処理装置であって、
処理容器と、
前記処理容器内で、前記表面を上向きにして前記基板を水平に保持する基板保持部と、
前記基板保持部により保持された基板の下方に設けられ、加圧された処理流体を供給する第１流体供給部と、
前記基板保持部により保持された前記基板の側方に設けられ、加圧された処理流体を供給する第２流体供給部と、
前記処理容器から処理流体を排出する流体排出部と、
前記第１流体供給部、前記第２流体供給部及び前記流体排出部の動作を制御する制御部と、
を備え、
前記制御部は、前記基板処理装置に、
前記表面に液体が付着している前記基板を前記処理容器に収容した後に前記処理容器に加圧された処理流体を供給して、前記処理容器内の圧力を処理流体の臨界圧力よりも高い処理圧力まで上昇させる昇圧工程と、
前記昇圧工程の後に、前記処理容器内において少なくとも処理流体が超臨界状態を維持する圧力を維持しつつ、前記処理容器に処理流体を供給するとともに前記処理容器から処理流体を排出する流通工程と、
を実施させ、
前記昇圧工程において、少なくとも前記処理容器内の圧力が前記処理流体の臨界圧力に到達するまでは、前記第２流体供給部からの前記処理流体の供給を停止し、前記第１流体供給部から前記処理容器内に前記処理流体を供給させ、
前記流通工程において、前記第２流体供給部から前記処理容器内に処理流体を供給させる、基板処理装置。
【請求項２】
前記制御部は、前記昇圧工程において、前記処理容器内への前記処理流体の供給開始から、前記処理容器内の圧力が前記臨界圧力を経て前記処理圧力まで到達するまでの間、前記第２流体供給部からの前記処理流体の供給を停止し、前記第１流体供給部から前記処理容器内に処理流体を供給させる、請求項１記載の基板処理装置。
【請求項３】
前記制御部は、
前記昇圧工程において、前記処理容器内への前記処理流体の供給開始から前記処理容器内の圧力が前記処理流体の臨界圧力に到達するまでの間、前記第２流体供給部からの前記処理流体の供給を停止し、前記第１流体供給部から前記処理容器内に処理流体を供給させ、
前記処理容器内の圧力が前記処理流体の臨界圧力に到達した後に前記処理圧力まで到達するまでの間、前記第１流体供給部からの前記処理流体の供給を停止し、前記第２流体供給部から前記処理容器内に処理流体を供給させるか、あるいは、前記第１及び第２処理供給部の両方から前記処理容器内に処理流体を供給させる、請求項１記載の基板処理装置。
【請求項４】
前記第１流体供給部は、前記基板保持部材により保持された前記基板の中央部の下方から、前記基板の中央部に向けて処理流体を供給するように設けられている、請求項１から３のうちのいずれか一項に記載の基板処理装置。
【請求項５】
前記第１流体供給部は、前記基板の側方から略水平方向に処理流体を供給するように設けられている、請求項１から３のうちのいずれか一項に記載の基板処理装置。
【請求項６】
前記第１流体供給部は、前記基板の側方で、かつ、前記基板の上面より高い位置から前記基板と平行に処理流体を供給するように設けられている、請求項５に記載の基板処理装置。
【請求項７】
表面にパターンが形成されるとともに前記表面に液体が付着した基板を処理容器に収容する収容工程と、
前記収容工程の後に、前記処理容器に加圧された処理流体を供給して、前記処理容器内の圧力を、前記処理流体の臨界圧力よりも高い処理圧力まで上昇させる昇圧工程と、
前記昇圧工程の後に、前記処理容器内において少なくとも前記処理流体が超臨界状態を維持する圧力を維持しつつ、前記処理容器に加圧された前記処理流体を供給するとともに前記処理容器から前記処理流体を排出する流通工程と、
を備え、
前記昇圧工程において、少なくとも前記処理容器内の圧力が前記処理流体の臨界圧力に到達するまでは、前記基板の下方に設けられた第１流体供給部から加圧された処理流体を供給し、
前記流通工程において、前記基板の側方に設けられた第２流体供給部から加圧された処理流体を供給し、
前記前記昇圧工程において、少なくとも前記処理容器内の圧力が前記処理流体の臨界圧力に到達するまでは、前記第２流体供給部から加圧された処理流体を供給しない、基板処理方法。
【請求項８】
前記昇圧工程において、前記処理容器内への前記処理流体の供給開始から、前記処理容器内の圧力が前記臨界圧力を経て前記処理圧力まで到達するまでの間、前記第２流体供給部を用いずに、前記第１流体供給部を用いて前記処理容器内に処理流体を供給する、請求項７記載の基板処理方法。
【請求項９】
前記昇圧工程において、前記処理容器内の圧力が、前記処理容器内への前記処理流体の供給開始から前記処理容器内の圧力が前記処理流体の臨界圧力に到達するまでの間、前記第２流体供給部を用いずに、前記第１流体供給部を用いて前記処理容器内に処理流体を供給し、
前記処理容器内の圧力が前記処理流体の臨界圧力に到達した後に前記前記処理圧力まで到達するまでの間、前記第１流体供給部を用いずに、前記第２流体供給部を用いて前記処理容器内に処理流体を供給するか、あるいは、前記第１及び第２処理供給部の両方を用いて前記処理容器内に処理流体を供給する、請求項８記載の基板処理方法。
【請求項１０】
基板処理装置の動作を制御するためのコンピュータにより実行されたときに、前記コンピュータが前記基板処理装置を制御して請求項７から９のうちのいずれか一項に記載の基板処理方法を実行させるプログラムが記録された記憶媒体。
【発明の詳細な説明】
【技術分野】
【０００１】
本発明は、超臨界状態の処理流体を用いて液体が付着した基板を乾燥させる技術に関する。
【背景技術】
【０００２】
半導体ウエハ（以下、ウエハという）などの基板の表面に集積回路の積層構造を形成する半導体装置の製造工程においては、薬液洗浄あるいはウエットエッチング等の液処理が行われる。こうした液処理にてウエハの表面に付着した液体などを除去する際に、近年では、超臨界状態の処理流体を用いた乾燥方法が用いられつつある（例えば特許文献１を参照）。
【０００３】
上記の乾燥方法において、基板の表面に微細かつ高アスペクト比のパターンが形成されている場合、パターンの凹部内にある液体が超臨界状態の処理流体で置換される前にパターンの凹部内にある液体が蒸発すると、パターンの倒壊が生じる。このような事象が生じることをより確実に回避する技術の確立が望まれている。
【先行技術文献】
【特許文献】
【０００４】
【特許文献１】特開２０１３−１２５３８号公報
【発明の概要】
【発明が解決しようとする課題】
【０００５】
本発明は、パターンの凹部内にある液体が超臨界状態の処理流体に置換される前に蒸発することを防ぐ技術を提供することを目的としている。
【課題を解決するための手段】
【０００６】
本発明の一実施形態によれば、表面に液体が付着した基板を、超臨界状態の処理流体を用いて乾燥させる基板処理装置であって、処理容器と、前記処理容器内で、前記表面を上向きにして前記基板を水平に保持する基板保持部と、前記基板保持部により保持された基板の下方に設けられ、加圧された処理流体を供給する第１流体供給部と、前記基板保持部により保持された前記基板の側方に設けられ、加圧された処理流体を供給する第２流体供給部と、前記処理容器から処理流体を排出する流体排出部と、前記第１流体供給部、前記第２流体供給部及び前記流体排出部の動作を制御する制御部と、を備えた基板処理装置が提供される。前記制御部は、前記基板処理装置に、前記表面に液体が付着している前記基板を前記処理容器に収容した後に前記処理容器に加圧された処理流体を供給して、前記処理容器内の圧力を処理流体の臨界圧力よりも高い処理圧力まで上昇させる昇圧工程と、前記昇圧工程の後に、前記処理容器内において少なくとも処理流体が超臨界状態を維持する圧力を維持しつつ、前記処理容器に処理流体を供給するとともに前記処理容器から処理流体を排出する流通工程と、を実施させる。前記制御部は、前記昇圧工程において、少なくとも前記処理容器内の圧力が前記処理流体の臨界圧力に到達するまでは、前記第２流体供給部からの前記処理流体の供給を停止し、前記第１流体供給部から前記処理容器内に前記処理流体を供給させ、前記流通工程において、前記第２流体供給部から前記処理容器内に処理流体を供給させる。
【０００７】
本発明の他の実施形態によれば、表面にパターンが形成されるとともに前記表面に液体が付着した基板を処理容器に収容する収容工程と、前記収容工程の後に、前記処理容器に加圧された処理流体を供給して、前記処理容器内の圧力を、前記処理流体の臨界圧力よりも高い処理圧力まで上昇させる昇圧工程と、前記昇圧工程の後に、前記処理容器内において少なくとも前記処理流体が超臨界状態を維持する圧力を維持しつつ、前記処理容器に加圧された前記処理流体を供給するとともに前記処理容器から前記処理流体を排出する流通工程と、を備え、前記昇圧工程において、少なくとも前記処理容器内の圧力が前記処理流体の臨界圧力に到達するまでは、前記基板の下方に設けられた第１流体供給部から加圧された処理流体を供給し、前記流通工程において、前記基板の側方に設けられた第２流体供給部から加圧された処理流体を供給し、前記前記昇圧工程において、少なくとも前記処理容器内の圧力が前記処理流体の臨界圧力に到達するまでは、前記第２流体供給部から加圧された処理流体を供給しない、基板処理方法が提供される。
【０００８】
本発明のさらに他の実施形態によれば、基板処理装置の動作を制御するためのコンピュータにより実行されたときに、前記コンピュータが前記基板処理装置を制御して上記の基板処理方法を実行させるプログラムが記録された記憶媒体が提供される。
【発明の効果】
【０００９】
上記本発明の実施形態によれば、パターンの凹部内にある液体が超臨界状態の処理流体に置換される前に蒸発することを防止することができる。
【図面の簡単な説明】
【００１０】
【図１】基板処理システムの全体構成を示す横断平面図である。
【図２】超臨界処理装置の処理容器の外観斜視図である。
【図３】処理容器の断面図である。
【図４】超臨界処理装置の配管系統図である。
【図５】ＩＰＡの乾燥メカニズムを説明する図である。
【図６】乾燥処理中の処理容器内の圧力の変動を示すグラフである。
【図７】ＩＰＡ及びＣＯ２からなる混合流体において、ＣＯ２濃度と、臨界温度及び臨界圧力との関係を示すグラフである。
【発明を実施するための形態】
【００１１】
以下、図面を参照して本発明の一実施の形態について説明する。なお、本件明細書に添付する図面に示されている構成には、図示と理解のしやすさの便宜上、サイズ及び縮尺等が実物のそれらから変更されている部分が含まれうる。
【００１２】
［基板処理システムの構成］
図１に示すように、基板処理システム１は、ウエハＷに洗浄液を供給して洗浄処理を行う複数の洗浄装置２（図１に示す例では２台の洗浄装置２）と、洗浄処理後のウエハＷに付着している乾燥防止用の液体（本実施形態ではＩＰＡ：イソプロピルアルコール）を、超臨界状態の処理流体（本実施形態ではＣＯ２：二酸化炭素）と接触させて除去する複数の超臨界処理装置３（図１に示す例では６台の超臨界処理装置３）と、を備える。
【００１３】
この基板処理システム１では、載置部１１にＦＯＵＰ１００が載置され、このＦＯＵＰ１００に格納されたウエハＷが、搬入出部１２及び受け渡し部１３を介して洗浄処理部１４及び超臨界処理部１５に受け渡される。洗浄処理部１４及び超臨界処理部１５において、ウエハＷは、まず洗浄処理部１４に設けられた洗浄装置２に搬入されて洗浄処理を受け、その後、超臨界処理部１５に設けられた超臨界処理装置３に搬入されてウエハＷ上からＩＰＡを除去する乾燥処理を受ける。図１中、符合「１２１」はＦＯＵＰ１００と受け渡し部１３との間でウエハＷを搬送する第１の搬送機構を示し、符合「１３１」は搬入出部１２と洗浄処理部１４及び超臨界処理部１５との間で搬送されるウエハＷが一時的に載置されるバッファとしての役割を果たす受け渡し棚を示す。
【００１４】
受け渡し部１３の開口部にはウエハ搬送路１６２が接続されており、ウエハ搬送路１６２に沿って洗浄処理部１４及び超臨界処理部１５が設けられている。洗浄処理部１４には、当該ウエハ搬送路１６２を挟んで洗浄装置２が１台ずつ配置されており、合計２台の洗浄装置２が設置されている。一方、超臨界処理部１５には、ウエハＷからＩＰＡを除去する乾燥処理を行う基板処理装置として機能する超臨界処理装置３が、ウエハ搬送路１６２を挟んで３台ずつ配置されており、合計６台の超臨界処理装置３が設置されている。ウエハ搬送路１６２には第２の搬送機構１６１が配置されており、第２の搬送機構１６１は、ウエハ搬送路１６２内を移動可能に設けられている。受け渡し棚１３１に載置されたウエハＷは第２の搬送機構１６１によって受け取られ、第２の搬送機構１６１は、ウエハＷを洗浄装置２及び超臨界処理装置３に搬入する。なお、洗浄装置２及び超臨界処理装置３の数及び配置態様は特に限定されず、単位時間当たりのウエハＷの処理枚数及び各洗浄装置２及び各超臨界処理装置３の処理時間等に応じて、適切な数の洗浄装置２及び超臨界処理装置３が適切な態様で配置される。
【００１５】
洗浄装置２は、例えばスピン洗浄によってウエハＷを１枚ずつ洗浄する枚葉式の装置として構成される。この場合、ウエハＷを水平に保持した状態で鉛直軸線周りに回転させながら、洗浄用の薬液や薬液を洗い流すためのリンス液をウエハＷの処理面に対して適切なタイミングで供給することで、ウエハＷの洗浄処理を行うことができる。洗浄装置２で用いられる薬液及びリンス液は特に限定されない。例えば、アルカリ性の薬液であるＳＣ１液（すなわちアンモニアと過酸化水素水の混合液）をウエハＷに供給し、ウエハＷからパーティクルや有機性の汚染物質を除去することができる。その後、リンス液である脱イオン水（ＤＩＷ：DeIonized Water）をウエハＷに供給し、ＳＣ１液をウエハＷから洗い流すことができる。さらに、酸性の薬液である希フッ酸水溶液（ＤＨＦ：Diluted HydroFluoric acid）をウエハＷに供給して自然酸化膜を除去し、その後、ＤＩＷをウエハＷに供給して希フッ酸水溶液をウエハＷから洗い流すこともできる。
【００１６】
そして洗浄装置２は、ＤＩＷによるリンス処理を終えたら、ウエハＷを回転させながら、乾燥防止用の液体としてＩＰＡをウエハＷに供給し、ウエハＷの処理面に残存するＤＩＷをＩＰＡと置換する。その後、ウエハＷの回転を緩やかに停止する。このとき、ウエハＷには十分量のＩＰＡが供給され、半導体のパターンが形成されたウエハＷの表面はＩＰＡが液盛りされた状態となり、ウエハＷの表面にはＩＰＡの液膜が形成される。ウエハＷは、ＩＰＡが液盛りされた状態を維持しつつ、第２の搬送機構１６１によって洗浄装置２から搬出される。
【００１７】
このようにしてウエハＷの表面に付与されたＩＰＡは、ウエハＷの乾燥を防ぐ役割を果たす。特に、洗浄装置２から超臨界処理装置３へのウエハＷの搬送中におけるＩＰＡの蒸発によってウエハＷに所謂パターン倒れが生じてしまうことを防ぐため、洗浄装置２は、比較的大きな厚みを有するＩＰＡ膜がウエハＷの表面に形成されるように、十分な量のＩＰＡをウエハＷに付与する。
【００１８】
洗浄装置２から搬出されたウエハＷは、第２の搬送機構１６１によって、ＩＰＡが液盛りされた状態で超臨界処理装置３の処理容器内に搬入され、超臨界処理装置３においてＩＰＡの乾燥処理が行われる。
【００１９】
［超臨界処理装置］
【００２０】
以下、超臨界処理装置３について図２〜図４を参照して説明する。
【００２１】
図２及び図３に示すように、処理容器３０１は、ウエハＷの搬入出用の開口部３１２が形成された容器本体３１１と、処理対象のウエハＷを水平に保持する保持板３１６と、この保持板３１６を支持するとともに、ウエハＷを容器本体３１１内に搬入したとき開口部３１２を密閉する蓋部材３１５とを備える。
【００２２】
容器本体３１１は、例えば直径３００ｍｍのウエハＷを収容可能な処理空間が内部に形成された容器である。容器本体３１１の内部の一端側に流体供給ヘッダー（第１流体供給部）３１７が設けられ、他端側に流体排出ヘッダー（流体排出部）３１８が設けられている。図示例では、流体供給ヘッダー３１７は、多数の開口（第１流体供給口）が設けられたブロック体からなり、流体排出ヘッダー３１８は多数の開口（流体排出口）が設けられた管からなる。流体供給ヘッダー３１７の第１流体供給口は、保持板３１６により保持されたウエハＷの上面よりやや高い位置にあることが好ましい。
【００２３】
流体供給ヘッダー３１７及び流体排出ヘッダー３１８の構成は図示例に限定されず、例えば、流体排出ヘッダー３１８をブロック体から形成してもよく、流体供給ヘッダー３１７を管から形成してもよい。
【００２４】
保持板３１６を下方から見ると、保持板３１６は、ウエハＷの下面のほぼ全域を覆っている。  保持板３１６は、蓋部材３１５側の端部に開口３１６ａを有している。保持板３１６の上方の空間にある処理流体は、開口３１６ａを通って、流体排出ヘッダー３１８に導かれる（図３の矢印Ｆ５参照）。
【００２５】
流体供給ヘッダー３１７は、実質的に水平方向へ向けて処理流体を容器本体３１１（処理容器３０１）内に供給する。ここでいう水平方向とは、重力が作用する鉛直方向と垂直な方向であって、通常は、保持板３１６に保持されたウエハＷの平坦な表面が延在する方向と平行な方向である。
【００２６】
流体排出ヘッダー３１８を介して、処理容器３０１内の流体が処理容器３０１の外部に排出される。流体排出ヘッダー３１８を介して排出される流体には、流体供給ヘッダー３１７を介して処理容器３０１内に供給された処理流体の他に、ウエハＷの表面に付着していて処理流体に溶け込んだＩＰＡも含まれる。
【００２７】
容器本体３１１の底部には、処理流体を処理容器３０１の内部に供給する流体供給ノズル（第２流体供給部）３４１が設けられている。図示例では、流体供給ノズル３４１は、容器本体３１１の底壁に穿たれた開口からなる。流体供給ノズル３４１は、ウエハＷの中心部の下方（例えば、真下）に位置し、ウエハＷの中心部（例えば、垂直方向上方）に向けて、処理流体を処理容器３０１内に供給する。
【００２８】
処理容器３０１は、さらに、不図示の押圧機構を備える。この押圧機構は、処理空間内に供給された超臨界状態の処理流体によってもたらされる内圧に抗して、容器本体３１１に向けて蓋部材３１５を押し付け、処理空間を密閉する役割を果たす。また、処理空間内に供給された処理流体が超臨界状態の温度を保てるように、容器本体３１１の天井壁及び底壁に、断熱材、テープヒータなど（図示せず）を設けることが好ましい。
【００２９】
図４に示すように、超臨界処理装置３は、超臨界状態の処理流体例えば１６〜２０ＭＰａ（メガパスカル）程度の高圧の処理流体の供給源である流体供給タンク５１を有する。流体供給タンク５１には、主供給ライン５０が接続されている。主供給ライン５０は、途中で、処理容器３０１内の流体供給ヘッダー（第１流体供給部）３１７に接続された第１供給ライン６３と、流体供給ノズル（第２流体供給部）３４１に接続された第２供給ライン６４とに分岐する。
【００３０】
流体供給タンク５１と流体供給ヘッダー３１７との間（つまり主供給ライン５０及びこれに連なる第１供給ライン６３）には、開閉弁５２ａ、オリフィス５５ａ、フィルタ５７及び開閉弁５２ｂが、上流側からこの順で設けられている。第２供給ライン６４は、フィルタ５７及び開閉弁５２ｂとの間の位置で主供給ライン５０から分岐している。第２供給ライン６４には、開閉弁５２ｃが設けられている。
【００３１】
オリフィス５５ａは、ウエハＷの保護のため、流体供給タンク５１から供給される処理流体の流速を低下させるために設けられる。フィルタ５７は、主供給ライン５０を流れる処理流体に含まれる異物（パーティクル原因物質）を取り除くために設けられる。
【００３２】
超臨界処理装置３はさらに、開閉弁５２ｄ及び逆止弁５８ａを介してパージ装置６２に接続されたパージガス供給ライン７０、及び開閉弁５２ｅ及びオリフィス５５ｃを介して超臨界処理装置３の外部空間に接続された排出ライン７１を有する。パージガス供給ライン７０及び排出ライン７１は、主供給ライン５０、第１供給ライン６３及び第２供給ライン６４に接続されている。
【００３３】
パージガス供給ライン７０は、例えば、流体供給タンク５１から処理容器３０１に対する処理流体の供給が停止している間に、処理容器３０１を不活性ガスで満たして清浄な状態を保つ目的で使用される。排出ライン７１は、例えば超臨界処理装置３の電源オフ時において、開閉弁５２ａと開閉弁５２ｂとの間の供給ライン内に残存する処理流体を外部に排出するために用いられる。
【００３４】
処理容器３０１内の流体排出ヘッダー３１８には、主排出ライン６５が接続されている。主排出ライン６５は、途中で、第１排出ライン６６、第２排出ライン６７、第３排出ライン６８及び第４排出ライン６９に分岐する。
【００３５】
主排出ライン６５及びこれに連なる第１排出ライン６６には、開閉弁５２ｆ、背圧弁５９、濃度センサ６０及び開閉弁５２ｇが、上流側から順に設けられている。
【００３６】
背圧弁５９は、一次側圧力（これは処理容器３０１内の圧力に等しい）が設定圧力を越えたときに開弁して、二次側に流体を流すことにより一次側圧力を設定圧力に維持するように構成されている。背圧弁５９の設定圧力は制御部４により随時変更することが可能である。
【００３７】
濃度センサ６０は、主排出ライン６５を流れる流体のＩＰＡ濃度を計測するセンサである。
【００３８】
開閉弁５２ｇの下流側において、第１排出ライン６６には、ニードル弁（可変絞り）６１ａ及び逆止弁５８ｂが設けられている。ニードル弁６１ａは、第１排出ライン６６を通って超臨界処理装置３の外部に排出される流体の流量を調整するバルブである。
【００３９】
第２排出ライン６７、第３排出ライン６８及び第４排出ライン６９、濃度センサ６０と開閉弁５２ｇとの間の位置において、主排出ライン６５から分岐している。第２排出ライン６７には、開閉弁５２ｈ、ニードル弁６１ｂ及び逆止弁５８ｃが設けられている。第３排出ライン６８には、開閉弁５２ｉ及び逆止弁５８ｄが設けられている。第４排出ライン６９には、開閉弁５２ｊ及びオリフィス５５ｄが設けられている。
【００４０】
第２排出ライン６７及び第３排出ライン６８は第１の排出先例えば流体回収装置に接続されており、第４排出ライン６９は第２の排出先例えば超臨界処理装置３外部の大気空間または工場排気系に接続されている。
【００４１】
処理容器３０１から流体を排出する場合、開閉弁５２ｇ、５２ｈ、５２ｉ、５２ｊのうちの１以上のバルブが開状態とされる。特に超臨界処理装置３の停止時には、開閉弁５２ｊを開き、濃度センサ６０と濃度センサ６０と開閉弁５２ｇとの間の第１排出ライン６６に存在する流体を超臨界処理装置３の外部に排出してもよい。
【００４２】
超臨界処理装置３の流体が流れるラインの様々な場所に、流体の圧力を検出する圧力センサ及び流体の温度を検出する温度センサが設置される。図４に示す例では開閉弁５２ａとオリフィス５５ａとの間に圧力センサ５３ａ及び温度センサ５４ａが設けられ、オリフィス５５ａとフィルタ５７との間に圧力センサ５３ｂ及び温度センサ５４ｂが設けられ、フィルタ５７と開閉弁５２ｂとの間に圧力センサ５３ｃが設けられ、開閉弁５２ｂと処理容器３０１との間に温度センサ５４ｃが設けられ、オリフィス５５ｂと処理容器３０１との間に温度センサ５４ｄが設けられている。また処理容器３０１と開閉弁５２ｆとの間に圧力センサ５３ｄ及び温度センサ５４ｆが設けられ、濃度センサ６０と開閉弁５２ｇとの間に圧力センサ５３ｅ及び温度センサ５４ｇが設けられている。さらに、処理容器３０１内の流体の温度を検出するための温度センサ５４ｅが設けられている。
【００４３】
主供給ライン５０及び第１供給ライン６３に、処理容器３０１に供給する処理流体の温度を調節するための４つのヒータＨが設けられている。処理容器３０１よりも下流側の排出ラインにもヒータＨを設けてもよい。
【００４４】
主供給ライン５０のオリフィス５５ａとフィルタ５７の間には安全弁（リリーフ弁）５６ａが設けられ、処理容器３０１と開閉弁５２ｆとの間には安全弁５６ｂが設けられ、濃度センサ６０と開閉弁５２ｇの間には安全弁５６ｃが設けられている。これらの安全弁５６ａ〜５６ｃは、これらの安全弁が設けられているライン（配管）内の圧力が過大になった場合等の異常時に、ライン内の流体を緊急的に外部に排出する。
【００４５】
制御部４は、図３に示す各種センサ（圧力センサ５３ａ〜５３ｅ、温度センサ５４ａ〜５４ｇ及び濃度センサ６０等）から計測信号を受信し、各種機能要素に制御信号（開閉弁５２ａ〜５２ｊの開閉信号、背圧弁５９の設定圧力調節信号、ニードル弁６１ａ〜６１ｂの開度調節信号等）を送信する。制御部４は、たとえばコンピュータであり、演算部１８と記憶部１９とを備える。記憶部１９には、基板処理システム１において実行される各種の処理を制御するプログラムが格納される。演算部１８は、記憶部１９に記憶されたプログラムを読み出して実行することによって基板処理システム１の動作を制御する。プログラムは、コンピュータによって読み取り可能な記憶媒体に記録されていたものであって、その記憶媒体から制御部４の記憶部１９にインストールされたものであってもよい。コンピュータによって読み取り可能な記憶媒体としては、たとえばハードディスク（ＨＤ）、フレキシブルディスク（ＦＤ）、コンパクトディスク（ＣＤ）、マグネットオプティカルディスク（ＭＯ）、メモリカードなどがある。
【００４６】
［超臨界乾燥処理］
次に、超臨界状態の処理流体（例えば二酸化炭素（ＣＯ２））を用いたＩＰＡの乾燥メカニズムについて、図５を参照して簡単に説明する。
【００４７】
超臨界状態の処理流体Ｒが処理容器３０１内に導入された直後は、図５（ａ）に示すように、ウエハＷのパターンＰの凹部内にはＩＰＡのみが存在する。
【００４８】
凹部内のＩＰＡは、超臨界状態の処理流体Ｒと接触することで、徐々に処理流体Ｒに溶解し、図５（ｂ）に示すように徐々に処理流体Ｒと置き換わってゆく。このとき、凹部内には、ＩＰＡ及び処理流体Ｒの他に、ＩＰＡと処理流体Ｒとが混合した状態の混合流体Ｍが存在する。
【００４９】
凹部内でＩＰＡから処理流体Ｒへの置換が進行するに従って、凹部内に存在するＩＰＡが減少し、最終的には図５（ｃ）に示すように、凹部内には超臨界状態の処理流体Ｒのみが存在するようになる。
【００５０】
凹部内からＩＰＡが除去された後に、処理容器３０１内の圧力を大気圧まで下げることによって、図５（ｄ）に示すように、処理流体Ｒは超臨界状態から気体状態に変化し、凹部内は気体のみによって占められる。このようにしてパターンＰの凹部内のＩＰＡが除去され、ウエハＷの乾燥処理は完了する。
【００５１】
次に、上記の超臨界処理装置３を用いて実行される乾燥方法（基板処理方法）について説明する。なお、以下に説明する乾燥方法は、記憶部１９に記憶された処理レシピ及び制御プログラムに基づいて、制御部４の制御の下で、自動的に実行される。
【００５２】
＜搬入工程＞
洗浄装置２において洗浄処理が施されたウエハＷが、その表面のパターンの凹部内がＩＰＡに充填されかつその表面にＩＰＡのパドルが形成された状態で、第２の搬送機構１６１により洗浄装置２から搬出される。第２の搬送機構１６１は、保持板３１６の上にウエハを載置し、その後、ウエハを載置した保持板３１６が容器本体３１１内に進入し、蓋部材３１５が容器本体３１１と密封係合する。以上によりウエハの搬入が完了する。
【００５３】
次に、図６のタイムチャートに示した手順に従い、処理流体（ＣＯ２）が処理容器３０１内に供給され、これによりウエハＷの乾燥処理が行われる。図６に示す折れ線Ａは、乾燥処理開始時点からの経過時間と処理容器３０１内の圧力との関係を示している。
【００５４】
＜昇圧工程＞
まず昇圧工程Ｔ１が行われ、流体供給タンク５１から処理容器３０１内に処理流体としてのＣＯ２（二酸化炭素）が供給される。具体的には、開閉弁５２ａ，５２ｃ，５２ｆが開状態とされ、開閉弁５２ｂ，５２ｄ，開閉弁５２ｅが閉状態とされる。また、開閉弁５２ｇ，５２ｈ，５２ｉが開状態とされ、開閉弁５２ｊが閉状態とされる。ニードル弁６１ａ，６１ｂが予め定められた開度に調整される。また、背圧弁５９の設定圧力が、処理容器３０１内のＣＯ２が超臨界状態を維持できる圧力例えば１５ＭＰａに設定される。これにより、流体供給タンク５１から超臨界状態にある１６ＭＰａ程度の圧力のＣＯ２が、ウエハＷの中央部の真下にある流体供給ノズル３４１から保持板３１６の下面に向けて吐出される。
【００５５】
流体供給ノズル３４１から吐出されたＣＯ２（図３の矢印Ｆ１参照）は、ウエハＷの下面を覆う保持板３１６に衝突した後に、保持板３１６の下面に沿って放射状に広がり（図３の矢印Ｆ２参照）、その後、保持板３１６の端縁と容器本体３１１の側壁との間の隙間及び保持板３１６の開口３１６ａを通って、ウエハＷの上面側の空間に流入する（図３の矢印Ｆ３参照）。背圧弁５９は設定圧力（１５ＭＰａ）まで全閉に維持されるので、処理容器３０１からＣＯ２は流出しない。このため、処理容器３０１内の圧力は徐々に上昇してゆく。
【００５６】
昇圧工程Ｔ１の初期では、流体供給タンク５１から超臨界状態で送り出されたＣＯ２の圧力は、オリフィス５５ａを通過するときに低下し、また、常圧状態にある処理容器３０１内に流入したときにも低下する。従って、昇圧工程Ｔ１の初期では、処理容器３０１内に流入するＣＯ２の圧力は臨界圧力（例えば約７ＭＰａ）より低く、つまり、ＣＯ２は気体（ガス）の状態で処理容器３０１内に流入する。その後、処理容器３０１内へのＣＯ２の充填の進行とともに処理容器３０１内の圧力は増加してゆき、処理容器３０１内の圧力が臨界圧力を越えると、処理容器３０１内に存在するＣＯ２は超臨界状態となる。
【００５７】
昇圧工程Ｔ１において、処理容器３０１内の圧力が増大して臨界圧力を越えると、処理容器３０１内の処理流体が超臨界状態となり、ウエハＷ上のＩＰＡが超臨界状態の処理流体に溶け込み始める。すると、ＣＯ２及びＩＰＡからなる混合流体中におけるＩＰＡとＣＯ２との混合比が変化してゆく。なお、混合比はウエハＷ表面全体において均一とは限らない。不測の混合流体の気化によるパターン倒れを防止するため、昇圧工程Ｔ１では、処理容器３０１内の圧力を、混合流体中のＣＯ２濃度に関わらず処理容器３０１内のＣＯ２が超臨界状態となることが保証される圧力ここでは１５ＭＰａまで昇圧する。ここで、「超臨界状態となることが保証される圧力」とは、図７のグラフの曲線Ｃで示す圧力の極大値より高い圧力である。この圧力（１５ＭＰａ）は、「処理圧力」と呼ばれる。
【００５８】
＜保持工程＞
上記昇圧工程Ｔ１により、処理容器３０１内の圧力が上記処理圧力（１５ＭＰａ）まで上昇したら、処理容器３０１の上流側及び下流側にそれぞれ位置する開閉弁５２ｂ及び開閉弁５２ｆを閉じて、処理容器３０１内の圧力を維持する保持工程Ｔ２に移行する。この保持工程は、ウエハＷのパターンＰの凹部内にある混合流体中のＩＰＡ濃度及びＣＯ２濃度が予め定められた濃度（例えばＩＰＡ濃度が３０％以下、ＣＯ２濃度が７０％以上）になるまで継続される。保持工程Ｔ２の時間は、実験により定めることができる。この保持工程Ｔ２において、他のバルブの開閉状態は、昇圧工程Ｔ１における開閉状態と同じである。
【００５９】
＜流通工程＞
保持工程Ｔ２の後、流通工程Ｔ３が行われる。流通工程Ｔ３は、処理容器３０１内からＣＯ２及びＩＰＡの混合流体を排出して処理容器３０１内を降圧する降圧段階と、流体供給タンク５１から処理容器３０１内にＩＰＡを含まない新しいＣＯ２を供給して処理容器３０１内を昇圧する昇圧段階とを交互に繰り返すことにより行うことができる。
【００６０】
流通工程Ｔ３は、例えば、開閉弁５２ｂ及び開閉弁５２ｆを開状態として、背圧弁５９の設定圧力の上昇及び下降を繰り返すことにより行われる。これに代えて、流通工程Ｔ３を、開閉弁５２ｂを開きかつ背圧弁５９の設定圧力を低い値に設定した状態で、開閉弁５２ｆの開閉を繰り返すことにより行ってもよい。
【００６１】
流通工程Ｔ３では、流体供給ヘッダー３１７を用いて処理容器３０１内にＣＯ２が供給される（図３の矢印Ｆ４参照）。流体供給ヘッダー３１７は、流体供給ノズル３４１よりも大流量でＣＯ２を供給することができる。流通工程Ｔ３では、処理容器３０１内の圧力は臨界圧力よりも十分に高い圧力に維持されているため、大流量のＣＯ２がウエハＷ表面に衝突したり、ウエハＷ表面近傍を流れても乾燥の問題は無い。このため、処理時間の短縮を重視して流体供給ヘッダー３１７が用いられる。
【００６２】
昇圧段階では、処理容器３０１内の圧力を上記処理圧力（１５ＭＰａ）まで上昇させる。降圧段階では、処理容器３０１内の圧力を上記処理圧力から予め定められた圧力（臨界圧力よりも高い圧力）まで低下させる。降圧段階では、流体供給ヘッダー３１７を介して処理容器３０１内に処理流体が供給されるとともに流体排出ヘッダー３１８を介して処理容器３０１から処理流体が排気されることになるため、処理容器３０１内には、ウエハＷの表面と略平行に流動する処理流体の層流が形成される（図３の矢印Ｆ６参照）。
【００６３】
流通工程を行うことにより、ウエハＷのパターンの凹部内においてＩＰＡからＣＯ２への置換が促進させる。凹部内においてＩＰＡからＣＯ２への置換が進行してゆくに従って、図７の左側に示すように混合流体の臨界圧力が低下してゆくので、各降圧段階の終了時における処理容器３０１内の圧力を、混合流体中のＣＯ２濃度に対応する混合流体の臨界圧力よりも高いという条件を満たしながら、徐々に低くしてゆくことができる。
【００６４】
＜排出工程＞
流通工程Ｔ３により、パターンの凹部内においてＩＰＡからＣＯ２への置換が完了したら、排出工程Ｔ４が行われる。排出工程Ｔ４は、開閉弁５２ａ，５２ｂ，５２ｃ，５２ｄ，５２ｅを閉状態とし、背圧弁５９の設定圧力を常圧とし、開閉弁５２ｆ，５２ｇ，５２ｈ，５２ｉを開状態とし、開閉弁５２ｊを閉状態とすることにより行うことができる。排出工程Ｔ４により処理容器３０１内の圧力がＣＯ２の臨界圧力より低くなると、超臨界状態のＣＯ２は気化し、パターンの凹部内から離脱する。これにより、１枚のウエハＷに対する乾燥処理が終了する。
【００６５】
上記の実施形態によれば、昇圧工程Ｔ１において、ウエハＷの下方にある流体供給ノズル３４１から処理容器３０１内にＣＯ２が供給される。このため、パターンの倒壊をより確実に防止することができる。この点について以下に述べる。
【００６６】
ウエハＷの表面上に存在する液体状態のＩＰＡが気体状態のＣＯ２の流れに晒されると、ＩＰＡが蒸発し、このときにパターンの倒壊が生じるおそれがある。昇圧工程Ｔ１において、ウエハＷの側方にある流体供給ヘッダー３１７から処理容器３０１内に気体状態のＣＯ２が供給されると、比較的高流速のＣＯ２の流れがＩＰＡのパドルに直接衝突するか、あるいはＩＰＡのパドルの近傍を通過するため、ＩＰＡの蒸発が生じやすい傾向にある。
【００６７】
これに対して、本実施形態では、流体供給ノズル３４１から吐出されたＣＯ２は、ウエハＷの表面または表面近傍の空間に向けて直接流れるのではなく、支持板３１６の下面中央部に衝突した後に、保持板３１６の下面に沿って放射状に広がり、その後ウエハＷの上面側の空間に流入する。つまり、本実施形態では、処理流体吐出口からウエハＷの表面または表面近傍の空間に直接向かうＣＯ２の流れは存在しない。このため、処理容器３０１内に気体状態のＣＯ２を供給したことに起因するＩＰＡの蒸発が大幅に抑制される。なお、気体状態のＣＯ２がウエハＷの上面側の空間に流入したときには、ＣＯ２の流速は、流体供給ノズル３４１から吐出されたときよりも大幅に小さくなっている。また、第２供給ラインにはオリフィス５５ｂがあるため、流体供給ノズル３４１から吐出されるＣＯ２の流速はもともと小さい。このことにより、ＩＰＡの蒸発がさらに抑制される。
【００６８】
上記実施形態では、流体供給ノズル３４１の位置は、例えば処理容器３０１内に収容されたウエハＷの中心部の真下としたが、これには限定されない。流体供給ノズル３４１の位置は、保持板３１６の下方、つまりウエハＷが載置された保持板３１６を真上から見たときに流体供給ノズル３４１が見えない位置であればよい。言い換えれば、流体供給ノズル３４１から吐出されたＣＯ２ガスが流体供給ノズル３４１の下面またはウエハＷの裏面（下面）に衝突するようになっていればよい。
【００６９】
但し、流体供給ノズル３４１の位置が大きくウエハＷの中心部の真下から外れると、処理容器３０１内におけるＣＯ２ガスの流れが不均一になり、ＣＯ２ガスの流れがウエハＷの表面に回り込むおそれがある。このため、流体供給ノズル３４１はウエハＷの中心部の真下に近い位置に配置することが望ましい。また、ＣＯ２ガスの流れがウエハＷの表面に回り込むことを防止または抑制する観点から、流体供給ノズル３４１は鉛直方向上方または概ね直方向上方に向けてＣＯ２を吐出することが望ましい。
【００７０】
上記実施形態では、昇圧工程Ｔ１の全期間にわたって、流体供給ノズル３４１のみからＣＯ２を処理容器３０１内に供給していたが、これには限定されない。処理容器３０１の圧力が処理流体であるＣＯ２の臨界圧力（約７ＭＰａ）を越えたら、流体供給ヘッダー３１７からＣＯ２を処理容器３０１内に供給してもよく、また、流体供給ヘッダー３１７及び流体供給ノズル３４１の両方からＣＯ２を処理容器３０１内に供給してもよい。これらの場合も、パターンの倒壊を防止することができる。
【００７１】
但し、上記実施形態のように、昇圧工程Ｔ１の全期間にわたって、流体供給ノズル３４１のみからＣＯ２を処理容器３０１内に供給する方が好ましい。流体供給ヘッダー３１７から処理容器３０１内にＣＯ２を供給すると、供給されたＣＯ２がＩＰＡまたはＩＰＡ及びＣＯ２の混合流体からなるパドルに直接的に衝突しパドルを撹拌するため、パーティクルが生じやすくなる傾向にあるからである。また、より確実にパターンの倒壊を防止することができるからである。
【００７２】
実際に試験を行ったところ、昇圧工程Ｔ１の全期間にわたって、流体供給ノズル３４１のみからＣＯ２を処理容器３０１内に供給した場合には、パターンの倒壊が防止でき、パーティクルの発生も問題無いレベルであった。一方、昇圧工程Ｔ１の後半（処理容器３０１内圧力が約７ＭＰａを越えた後）に、流体供給ヘッダー３１７からＣＯ２を供給した場合、並びに流体供給ヘッダー３１７及び流体供給ノズル３４１の両方からＣＯ２を供給した場合では、パターンの倒壊は防止できたが、パーティクルレベルが悪化した。
【００７３】
但し、流体供給ヘッダー３１７を用いた方が流体供給ノズル３４１を用いる場合と比較して昇圧速度を高めることができるので、要求されるパーティクルレベル次第では、スループットを重視して、昇圧工程Ｔ１の後半に流体供給ヘッダー３１７を用いてＣＯ２を処理容器３０１内に供給してもよい。
【００７４】
本発明は、上述の実施形態及び変形例に限定されるものではなく、当業者が想到しうる種々の変形が加えられた各種態様も含みうるものであり、本発明によって奏される効果も上述の事項に限定されない。したがって、本発明の技術的思想及び趣旨を逸脱しない範囲で、特許請求の範囲及び明細書に記載される各要素に対して種々の追加、変更及び部分的削除が可能である。
【００７５】
例えば、乾燥処理に用いられる処理流体はＣＯ２以外の流体（例えばフッ素系の流体）であってもよく、基板に液盛りされた乾燥防止用の液体を超臨界状態で除去可能な任意の流体を処理流体として用いることができる。また乾燥防止用の液体もＩＰＡには限定されず、乾燥防止用液体として使用可能な任意の液体を使用することができる。処理対象の基板は、上述した半導体ウエハＷに限定されるものではなく、ＬＣＤ用ガラス基板、セラミック基板等の他の基板であってもよい。
【符号の説明】
【００７６】
Ｗ  基板（ウエハ）
４  制御部
３１６  基板保持部（保持板）
３１７  第１流体供給部（流体供給ヘッダー）
３４１  第２流体供給部（流体供給ノズル）
【図１】
2020170873.tif 000003
【図２】
2020170873.tif 000004
【図３】
2020170873.tif 000005
【図４】
2020170873.tif 000006
【図５】
2020170873.tif 000007
【図６】
2020170873.tif 000008
【図７】
2020170873.tif 000009
【手続補正書】
【提出日】令和2年8月4日(2020.8.4)
【手続補正１】
【補正対象書類名】明細書
【補正対象項目名】００２２
【補正方法】変更
【補正の内容】
【００２２】
容器本体３１１は、例えば直径３００ｍｍのウエハＷを収容可能な処理空間が内部に形成された容器である。容器本体３１１の内部の一端側に流体供給ヘッダー（第２流体供給部）３１７が設けられ、他端側に流体排出ヘッダー（流体排出部）３１８が設けられている。図示例では、流体供給ヘッダー３１７は、多数の開口（第２流体供給口）が設けられたブロック体からなり、流体排出ヘッダー３１８は多数の開口（流体排出口）が設けられた管からなる。流体供給ヘッダー３１７の第２流体供給口は、保持板３１６により保持されたウエハＷの上面よりやや高い位置にあることが好ましい。
【手続補正２】
【補正対象書類名】明細書
【補正対象項目名】００２７
【補正方法】変更
【補正の内容】
【００２７】
容器本体３１１の底部には、処理流体を処理容器３０１の内部に供給する流体供給ノズル（第１流体供給部）３４１が設けられている。図示例では、流体供給ノズル３４１は、容器本体３１１の底壁に穿たれた開口からなる。流体供給ノズル３４１は、ウエハＷの中心部の下方（例えば、真下）に位置し、ウエハＷの中心部（例えば、垂直方向上方）に向けて、処理流体を処理容器３０１内に供給する。
【手続補正３】
【補正対象書類名】明細書
【補正対象項目名】００２９
【補正方法】変更
【補正の内容】
【００２９】
図４に示すように、超臨界処理装置３は、超臨界状態の処理流体例えば１６〜２０ＭＰａ（メガパスカル）程度の高圧の処理流体の供給源である流体供給タンク５１を有する。流体供給タンク５１には、主供給ライン５０が接続されている。主供給ライン５０は、途中で、処理容器３０１内の流体供給ヘッダー（第２流体供給部）３１７に接続された第２供給ライン６３と、流体供給ノズル（第１流体供給部）３４１に接続された第１供給ライン６４とに分岐する。
【手続補正４】
【補正対象書類名】明細書
【補正対象項目名】００３０
【補正方法】変更
【補正の内容】
【００３０】
流体供給タンク５１と流体供給ヘッダー３１７との間（つまり主供給ライン５０及びこれに連なる第２供給ライン６３）には、開閉弁５２ａ、オリフィス５５ａ、フィルタ５７及び開閉弁５２ｂが、上流側からこの順で設けられている。第１供給ライン６４は、フィルタ５７及び開閉弁５２ｂとの間の位置で主供給ライン５０から分岐している。第１供給ライン６４には、開閉弁５２ｃが設けられている。
【手続補正５】
【補正対象書類名】明細書
【補正対象項目名】００３２
【補正方法】変更
【補正の内容】
【００３２】
超臨界処理装置３はさらに、開閉弁５２ｄ及び逆止弁５８ａを介してパージ装置６２に接続されたパージガス供給ライン７０、及び開閉弁５２ｅ及びオリフィス５５ｃを介して超臨界処理装置３の外部空間に接続された排出ライン７１を有する。パージガス供給ライン７０及び排出ライン７１は、主供給ライン５０、第２供給ライン６３及び第１供給ライン６４に接続されている。
【手続補正６】
【補正対象書類名】明細書
【補正対象項目名】００４３
【補正方法】変更
【補正の内容】
【００４３】
主供給ライン５０及び第２供給ライン６３に、処理容器３０１に供給する処理流体の温度を調節するための４つのヒータＨが設けられている。処理容器３０１よりも下流側の排出ラインにもヒータＨを設けてもよい。
【手続補正７】
【補正対象書類名】明細書
【補正対象項目名】００６７
【補正方法】変更
【補正の内容】
【００６７】
これに対して、本実施形態では、流体供給ノズル３４１から吐出されたＣＯ２は、ウエハＷの表面または表面近傍の空間に向けて直接流れるのではなく、保持板３１６の下面中央部に衝突した後に、保持板３１６の下面に沿って放射状に広がり、その後ウエハＷの上面側の空間に流入する。つまり、本実施形態では、処理流体吐出口からウエハＷの表面または表面近傍の空間に直接向かうＣＯ２の流れは存在しない。このため、処理容器３０１内に気体状態のＣＯ２を供給したことに起因するＩＰＡの蒸発が大幅に抑制される。なお、気体状態のＣＯ２がウエハＷの上面側の空間に流入したときには、ＣＯ２の流速は、流体供給ノズル３４１から吐出されたときよりも大幅に小さくなっている。また、第１供給ラインにはオリフィス５５ｂがあるため、流体供給ノズル３４１から吐出されるＣＯ２の流速はもともと小さい。このことにより、ＩＰＡの蒸発がさらに抑制される。
【手続補正８】
【補正対象書類名】明細書
【補正対象項目名】００７６
【補正方法】変更
【補正の内容】
【００７６】
Ｗ  基板（ウエハ）
４  制御部
３１６  基板保持部（保持板）
３１７  第２流体供給部（流体供給ヘッダー）
３４１  第１流体供給部（流体供給ノズル）
【手続補正９】
【補正対象書類名】特許請求の範囲
【補正対象項目名】全文
【補正方法】変更
【補正の内容】
【特許請求の範囲】
【請求項１】
表面に液体が付着した基板を、超臨界状態の処理流体を用いて乾燥させる基板処理装置であって、
処理容器と、
前記処理容器内で、前記表面を上向きにして前記基板を水平に保持する基板保持部であって、前記処理容器内で前記基板を保持する前記基板保持部により、前記処理容器の内部空間が、前記基板が存在する前記基板保持部の上方の上方空間と前記上方空間に連通する前記基板保持部の下方の下方空間とに分割されるように設けられた前記基板保持部と、
前記処理容器内で前記基板を保持する前記基板保持部の下方に設けられ、前記処理容器内で前記基板を保持する前記基板保持部の下方から、前記基板保持部に向けて、前記下方空間に加圧された前記処理流体を供給する第１流体供給部と、
前記処理容器内で前記基板保持部により保持された前記基板の側方に設けられ、前記基板の側方から前記基板に向けて加圧された前記処理流体を前記処理容器の内部空間に供給する第２流体供給部と、
前記処理容器の内部空間から前記処理流体を排出する流体排出部と、
を備えた、基板処理装置。
【請求項２】
前記第１流体供給部は、前記基板保持部により保持された前記基板の中央部の下方から、前記基板保持部により保持された前記基板の中央部に対応する前記基板保持部の下面に向けて前記処理流体を供給するように設けられている、請求項１に記載の基板処理装置。
【請求項３】
前記基板保持部は、前記第１流体供給部から吐出された前記処理流体が前記基板保持部により保持された前記基板に直接衝突しないように、下から見たときに前記基板保持部に保持された前記基板の下面の全域を覆うように設けられている、請求項１記載の基板処理装置。
【請求項４】
前記処理容器の内部には、前記基板保持部に保持された前記基板の周縁よりも外側に前記上方空間と前記下方空間とを連通させる連通路があり、前記第１流体供給部から前記下方空間に供給された処理流体は、前記連通路を通って前記上方空間に流入することができるようになっている、請求項１に記載の基板処理装置。
【請求項５】
前記基板保持部は、基板がその上に載置される可動の板状体を有し、前記基板がその上に載置されている前記板状体の外周縁と、前記処理容器の内壁面との間に前記連通路となる隙間が形成されるようになっている、請求項４記載の基板処理装置。
【請求項６】
前記第２流体供給部は、前記処理容器内で前記基板保持部に保持された前記基板の側方から略水平方向に前記処理流体を供給するように設けられている、請求項１に記載の基板処理装置。
【請求項７】
前記第２流体供給部は、前記処理容器内で前記基板保持部に保持された前記基板の側方であって、かつ、前記基板の上面より高い位置から前記基板の表面と平行に前記処理流体を供給するように設けられている、請求項６に記載の基板処理装置。
【請求項８】
前記第２流体供給部は、複数の流体供給口を有する、請求項６または７に記載の基板処理装置。
【請求項９】
前記複数の流体供給口は同じ高さ位置にあり、かつ、異なる水平方向位置にある、請求項８に記載の基板処理装置。
【請求項１０】
加圧された前記処理流体の供給源から下流側に延びる主供給ラインと、
前記主供給ラインに設定された分岐点において前記主供給ラインから分岐して前記第１流体供給部および前記第２流体供給部に前記処理流体をそれぞれ供給する第１供給ラインおよび第２供給ラインと、
前記第１供給ラインに設けられた第１開閉弁と、
前記第２供給ラインに設けられた第２開閉弁と、
前記分岐点より上流側の前記主供給ラインに設けられた第１オリフィスと、
をさらに備えた請求項１から９のうちのいずれか一項に記載の基板処理装置。
【請求項１１】
前記第２供給ラインに設けられた第２オリフィスをさらに備えた請求項１０に記載の基板処理装置。
【請求項１２】
前記分岐点より上流側の前記主供給ラインに設けられたヒータおよびフィルタをさらに備えた請求項１０または１１に記載の基板処理装置。
【請求項１３】
前記ヒータは前記第１オリフィスより上流側に設けられ、前記フィルタは前記第１オリフィスより下流側に設けられている、請求項１２に記載の基板処理装置。
【請求項１４】
前記流体排出部に接続された主排出ラインと、
前記主排出ラインに設けられ、制御部を介して設定圧力を変更することができる背圧弁と、
をさらに備えた請求項１から１３のうちのいずれか一項に記載の基板処理装置。
【請求項１５】
前記主排出ラインは、前記背圧弁の下流側で複数の分岐排出ラインに分岐した後に再び合流して１つの排出ラインとなり、前記複数の分岐排出ラインの各々に開閉弁が設けられている、請求項１４に記載の基板処理装置。